(57)【要約】【課題】同一の部屋に配置されたＣＴ装置と核医学装置を各々独立に使え、一方の検査を実施中に同時に他方の検査を行ない得る複合システムを提供する。【解決手段】ＣＴ装置と核医学装置を各々独立に使える複合システムは、同一の検査室Ｒ１に設置されたＣＴ装置２０及び核医学装置１０と、ＣＴ装置２０による撮影及び核医学装置１０による撮影を行なえるようにＣＴ装置２０及び核医学装置１０の間を移動可能に配置された核医学装置用寝台１１と、ＣＴ装置２０及び核医学装置１０の間を放射線に対し分離する放射線防護隔壁３０とを備える。放射線防護隔壁３０は、例えば鉛入りのスライド式カーテンで構成される。【選択図】　図１
2004049819.tif 000002
【特許請求の範囲】
【請求項１】
同一の部屋に設置されたＣＴ装置及び核医学装置と、
前記ＣＴ装置による撮影及び前記核医学装置による撮影を行なえるように前記ＣＴ装置及び前記核医学装置の間を移動可能に配置された寝台と、
前記部屋に配置され且つ前記ＣＴ装置及び前記核医学装置の間を放射線に対し分離する放射線防護用の隔壁部とを有することを特徴とするＣＴ装置と核医学装置を各々独立に使える複合システム。
【請求項２】
前記隔壁部は、取り外し可能な隔壁、スライド自在のカーテン、及び開閉自在の扉のいずれかで構成された請求項１記載のＣＴ装置と核医学装置を各々独立に使える複合システム。
【請求項３】
前記ＣＴ装置により撮影されるスキャノ像を元に前記核医学装置による画像収集位置を指定する手段と、
前記寝台の同一位置情報に基づいて前記ＣＴ装置及び前記核医学装置により同一断面のＣＴ画像および核医学画像を得る手段とをさらに備えた請求項１又は２記載のＣＴ装置と核医学装置を各々独立に使える複合システム。
【請求項４】
前記ＣＴ装置側に装備されたレーザマーカを用いて、当該ＣＴ装置によるＣＴ撮影時の基準位置として前記寝台上に載せられた被検体の体表上にマーキングを施す手段と、
前記核医学装置側に装備されたレーザマーカを用いて、当該核医学装置に対する前記寝台上に載せられた被検体の位置決めをその体表上に施された前記マーキングの位置を元に実施する手段と、
前記ＣＴ装置により以前撮影されたＣＴスキャノ像を元に前記核医学装置での画像収集位置を指定する手段と、
前記寝台の同一位置情報に基づいて前記ＣＴ装置及び前記核医学装置により同一断面のＣＴ像および核医学画像を得る手段とをさらに備えたことを特徴とする請求項１又は２記載のＣＴ装置と核医学装置を各々独立に使える複合システム。
【請求項５】
同一の部屋に設置されたＣＴ装置及び核医学装置と、
前記ＣＴ装置による撮影及び前記核医学装置による撮影を行なえるように前記ＣＴ装置及び前記核医学装置の間を移動可能に配置された寝台と、
前記部屋に配置され且つ前記ＣＴ装置及び前記核医学装置の間を放射線に対し分離する放射線防護用の隔壁部と、
前記ＣＴ装置により撮影されるスキャノ像を元に前記核医学装置による画像収集位置を指定する手段と、
前記寝台の同一位置情報に基づいて前記ＣＴ装置及び前記核医学装置により同一断面のＣＴ画像および核医学画像を得る手段とを備えたことを特徴とするＣＴ装置と核医学装置を各々独立に使える複合システム。
【発明の詳細な説明】
【０００１】
【発明の属する技術分野】
本発明は、ＣＴ装置と核医学装置を各々独立に使える複合システムに係り、特にＳＰＥＣＴ（Ｓｉｎｇｌｅ　Ｐｈｏｔｏｎ　Ｅｍｉｓｓｉｏｎ　ＣＴ）等の核医学装置とＸ線ＣＴ装置を併用しながら、機能的な診断及び形態学的な診断の両方の検査を行なう必要がある高度な医療診断の分野で利用される複合システムの工夫に関する。
【０００２】
【従来の技術】
一般に、医用画像診断装置は、被検体の体内組織や臓器等の検査部位に対する各種診断の内、主に形態学的な診断を行なうために用いる「形態診断装置」と、主に機能的な診断を行なうために用いる「機能診断装置」とに大別される。形態診断装置としては、例えばＸ線ＣＴ装置、ＭＲＩ装置、Ｘ線診断装置、超音波診断装置等が、また機能診断装置としては、例えばＳＰＥＣＴ等の核医学装置がそれぞれ例示される。
【０００３】
上記の形態診断装置と機能診断装置は、病院内では、通常、異なる部屋（検査室）に分かれて設置されている。このため、両装置を用いた検査もそれぞれ個別に実施される。これに対し、例えば特開平４−１０５６４１号公報では、形態診断装置と機能診断装置を同一の部屋に設置し、両装置による検査を互いに共通して利用可能な寝台を用いて患者を載せかえることなく実施し得る複合システムが提案されている。この複合システムによれば、共通の寝台のほか、追加の寝台を用いることで形態診断装置による検査と機能診断装置による検査を独立して同時に並行しながら実施することも可能とされている。この複合システムの例を図５に示す。
【０００４】
図５に示す医用診断システムは、同一の部屋（検査室）に設置される形態診断装置としてのＭＲＩ装置１００（ガントリ１０１、傾斜磁場電源１０２、及び送受信回路１０３を有する）及び機能診断装置としての核医学装置２００（ガントリ２０１、検出回路２０２、及び本体制御器２０３を有する）と、これら各装置１００、２００で使用される寝台としての共通寝台３００（共通寝台本体３０１、寝台制御器３０２、及び撮影位置制御器３０３を有する）及び追加寝台４００（追加寝台本体４０１、及び追加寝台制御器４０２を有する）と、ＳＰＥＣＴプログラム及びＭＲＩプログラムを元に全体動作を制御するホストコンピュータ５００及びそのモニタ６００とを備えた構成となっている。
【０００５】
上記の医用診断システムでは、共通寝台３００に加え、追加寝台４００を設置して両装置１００、２００による検査を個別に且つ同時に並行して実施したり、ＭＲＩ装置１００側の天板位置情報を認識し、その天板位置情報を元に核医学装置２００側でも同一位置の画像を取得したりできる。これは、上記のＭＲＩ装置１００と核医学装置２００に限らず、その他の形態診断装置と機能診断装置でも同様である。
【０００６】
【発明が解決しようとする課題】
しかしながら、上述した従来例の複合システムでは、次のような問題が考えられる。
【０００７】
１）従来例の複合システムでは、ＭＲＩ装置と核医学装置の各々の検査を同時に行なう場合、両装置間を隔離する手段がない。このため、一方の検査を実施中に同時に他方の検査を行なうのが困難である。また、両装置では１つの統合したホストコンピュータが使用されるため、２つの検査を独立して同時に並行して実施する場合の対応は、実際には困難である。
【０００８】
２）従来例の複合システムでは、ＭＲＩ装置と核医学装置の天板の位置情報を制御することで同一部位を撮影できる。しかし、この撮影は、天板の絶対位置を把握して物理的位置を同一にして取っているだけなので、例えばＭＲＩ画像を元にしてどの位置を中心にどれくらい撮影するといった撮影範囲を任意に指定するような撮影が困難である。そのため、広範囲に漠然とデータを収集しなければならず、無駄な時間を費やすといった問題がある。また、同一の寝台位置を元に同一部位の形態診断画像と機能診断画像を表示できるとされているが、具体的にどのようにして同一部位を指定するのか、その方法又は手段が明示されていない。
【０００９】
３）従来例の複合システムでは、ＭＲＩ装置と核医学装置の天板絶対位置情報を合わせて同一部位を撮影するので、同じ日に患者を載せかえることなく両方の検査が実施できる。しかし、患者を一旦天板から降ろすと、天板と患者の相対位置が変わってしまうため、例えば、ある日に一方の検査のみ行い、別の日に他方の検査を同一の位置で実施するといった使用法には対応できない。このため、両方の装置が空くまで患者を待たせるか、或は一方の装置で検査が終了した患者を他方の装置が空くまでそのまま天板から降すことができず、従って患者の負担が増したり、装置の運用効率が低下する等の問題がある。
【００１０】
上記の問題は、ＭＲＩ装置と核医学装置の例であるが、ＣＴ装置と核医学装置の場合でも同様である。
【００１１】
本発明は、このような従来の事情を背景になされたもので、同一の部屋に配置されたＣＴ装置と核医学装置を各々独立に使え、一方の検査を実施中に同時に他方の検査を行ない得る複合システムを提供することを主な目的とする。
【００１２】
また、本発明は、上記目的に加え、同一の部屋に配置されたＣＴ装置と核医学装置の画像収集位置を容易に位置決めでき、同一の寝台位置を元に同一断面のＣＴ像及び核医学画像を表示する複合システムを提供することを別の目的とする。
【００１３】
さらに、本発明は、上記目的に加え、同一の部屋に配置されたＣＴ装置と核医学装置の検査において患者を一旦寝台から降ろしても容易に位置決めできる複合システムを提供することをさらに別の目的とする。
【００１４】
【課題を解決するための手段】
上記目的を達成するため、本発明に係るＣＴ装置と核医学装置を各々独立に使える複合システムは、以下の１）〜３）の着想の元で完成されたものである。
【００１５】
１）形態診断装置と機能診断装置の間に放射線を防護する隔壁をその取り外しが自由に出来る状態又は開閉自在の状態で設ける。両方の検査が必要な場合は、その隔壁を取り除いた状態又は開けた状態にし、各々の検査を独立して同時に行ないたい場合は、その隔壁を設置した状態又は閉じた状態にする。これにより、一方の装置で発生する放射線が他方の装置側に漏れることがなくなり、より安全に検査が実施できる。
【００１６】
２）ＣＴ装置で撮影したスキャノ像を用いて、核医学装置での撮影位置を決めることができる。この際、ＣＴ装置のスキャノ像上でＣＴ画像の撮影範囲を決める際と同様の感覚で、核医学装置の撮影範囲を指定することができる。これにより、より精度の高い撮影位置決めが行なえる。また、得ようとする断面の位置をスキャノ像を用いて指定すれば、その位置に合ったＣＴ画像と核医学の画像を正確に表示することが可能となる。これにより、ＣＴ装置及び核医学装置の個別の画像表示に加え、同一位置の画像の重ね合わせも正確に行なえる。
【００１７】
３）ＣＴ装置での撮影終了時点で、ＣＴ装置に内蔵したレーザマーカによって患者体表にマーキングを施しておく。そうすると、ＣＴ装置による撮影を行なったその日に直ちに核医学装置での撮影を行なわなくても済む。後日、別の日に核医学装置側に設けたレーザマーカに患者体表のマーキングを合わせれば、先日のＣＴ画像を使って核医学装置での位置合わせが行なえるためである。この場合も、前記１）、２）と同様の効果を得ることができる。これにより、被検体を長時間、装置に固定することもなくなることから、患者の負担を軽減することができる。また、装置を効率的に運用することも可能となる。
【００１８】
すなわち、本発明に係るＣＴ装置と核医学装置を各々独立に使える複合システムは、同一の部屋に設置されたＣＴ装置及び核医学装置と、前記ＣＴ装置による撮影及び前記核医学装置による撮影を行なえるように前記ＣＴ装置及び前記核医学装置の間を移動可能に配置された寝台と、前記部屋に配置され且つ前記ＣＴ装置及び前記核医学装置の間を放射線に対し分離する放射線防護用の隔壁部とを有することを特徴とする。
【００１９】
本発明では、前記隔壁部は、取り外し可能な隔壁、スライド自在のカーテン、及び開閉自在の扉のいずれかで構成されることが好適である。
【００２０】
本発明では、前記ＣＴ装置により撮影されるスキャノ像を元に前記核医学装置による画像収集位置を指定する手段と、前記寝台の同一位置情報に基づいて前記ＣＴ装置及び前記核医学装置により同一断面のＣＴ画像および核医学画像を得る手段とをさらに備えることが好適である。
【００２１】
本発明では、前記ＣＴ装置側に装備されたレーザマーカを用いて、当該ＣＴ装置によるＣＴ撮影時の基準位置として前記寝台上に載せられた被検体の体表上にマーキングを施す手段と、前記核医学装置側に装備されたレーザマーカを用いて、当該核医学装置に対する前記寝台上に載せられた被検体の位置決めをその体表上に施された前記マーキングの位置を元に実施する手段と、前記ＣＴ装置により以前撮影されたＣＴスキャノ像を元に前記核医学装置での画像収集位置を指定する手段と、前記寝台の同一位置情報に基づいて前記ＣＴ装置及び前記核医学装置により同一断面のＣＴ像および核医学画像を得る手段とをさらに備えることが好適である。
【００２２】
さらに別の側面として、本発明に係るＣＴ装置と核医学装置を各々独立に使える複合システムは、同一の部屋に設置されたＣＴ装置及び核医学装置と、前記ＣＴ装置による撮影及び前記核医学装置による撮影を行なえるように前記ＣＴ装置及び前記核医学装置の間を移動可能に配置された寝台と、前記部屋に配置され且つ前記ＣＴ装置及び前記核医学装置の間を放射線に対し分離する放射線防護用の隔壁部と、前記ＣＴ装置により撮影されるスキャノ像を元に前記核医学装置による画像収集位置を指定する手段と、前記寝台の同一位置情報に基づいて前記ＣＴ装置及び前記核医学装置により同一断面のＣＴ画像および核医学画像を得る手段とを備えたことを特徴とする。
【００２３】
【発明の実施の形態】
以下、本発明に係るＣＴ装置と核医学装置を各々独立に使える複合システムの実施の形態を添付図面を参照にして説明する。
【００２４】
図１に示す複合システムにおいては、例えば１つの部屋（検査室Ｒ１及び操作室Ｒ２）内の検査室Ｒ１側に、患者（被検者）ＰＳの機能的診断を行なう機能診断装置としてのＳＰＥＣＴ等の核医学装置（架台）１０及びその患者ＰＳを載せる天板を有する核医学装置用寝台１１と、患者ＰＳの形態診断を行なう形態診断装置としてのＣＴ装置（架台）２０及びその患者ＰＳを載せる天板を有するＣＴ装置用寝台２１とが、また同一部屋の操作室Ｒ２側に、核医学装置用コンソール１２及びそのモニタ１３と、ＣＴ装置用コンソール２２及びそのモニタ２３とがそれぞれ設置されている。
【００２５】
この内、核医学装置用寝台１１は、ＣＴ装置２０でも共有して使用される共通の寝台として、図示しない移動機構により核医学装置１０の撮影を行なう寝台位置Ｐ１とＣＴ装置２０の撮影を行なう寝台位置Ｐ２との間を移動可能となっている（図１中の二点鎖線で示す矢印ａ参照）。この核医学装置用寝台１１の移動機構としては、例えば寝台１１下部の所定位置に方向を自在に変えて移動可能なキャスター等の車輪部を取り付けて、その車輪部を床面上で転がせて移動させる方式や、床面上にレールを埋設して、そのレールに沿って平行に移動させる方式を例示できる。
【００２６】
また、ＣＴ装置用寝台２１は、核医学装置１０及びＣＴ装置２０を同時に並行して使用する場合の追加の寝台として、図示しない移動機構により、ＣＴ装置２０の撮影を行なう寝台位置Ｐ２及びその撮影を行なわない寝台位置Ｐ３との間を移動可能となっている（図１中の二点鎖線で示す矢印ｂ参照）。この寝台２１の移動機構としては、上記と同様の車輪やレールを設けた方式を例示できる。
【００２７】
上記の核医学装置１０及びＣＴ装置２０の間には、放射線を防護するための検査室Ｒ１内の仕切りとして放射線防護隔壁（図１の例では鉛入りのスライド式カーテン）３０がスライド（開閉）自在に設けられる（図１中の二点鎖線で示す矢印ｃ参照）。この放射線防護隔壁３０は、図１に示すようにスライド式カーテンのほか、鉛を貼った開閉自在の扉等、いずれのタイプでもよく、放射線を防護できる材質であれば、スライド式や開閉式のものや、取り外し自在のもの等、その構造及び形状はいずれでも適用可能である。
【００２８】
ここで、本実施形態の全体動作を図２及び図３に基づいて説明する。
【００２９】
最初に、同一の患者ＰＳが同じ日に核医学装置１０とＣＴ装置２０の両方の検査を受ける場合を考える。
【００３０】
この場合には、図２に示すように、放射線防護隔壁３０を開け放った状態にしておき、この状態でＣＴ装置２０側の寝台位置Ｐ２に核医学装置用寝台１１をセットする（ステップＳ１）。そして、その寝台１１の天板上に載せられた患者ＰＳに対し、ＣＴ装置２０によりその患者ＰＳの検査部位をカバーする撮影範囲のＣＴスキャノ像が撮影される（ステップＳ２）。このＣＴスキャノ像は、Ｘ線診断装置で得られる透過像と類似の画像に相当するもので、寝台１１上の天板をその長手方向に所定量移動させながら、ＣＴ装置２０内の図示しない診断用開口部に配置される回転部（Ｘ線管及びＸ線検出器が対向配置される）を非回転の状態で所定ビーム幅に絞ったＸ線ビームを照射することにより得られる。
【００３１】
次いで、上記のＣＴスキャノ像を用いたスキャン計画画像がＣＴ装置用コンソール２２のモニタ２３上に画像表示される（ステップＳ３）。このスキャン計画画像は、得ようとする断面の位置（スライス位置）を計画及び指定するためのスキャン計画用の画面を成すものである。
【００３２】
このモニタ２３上のＣＴスキャノ像を用いたスキャン計画画像を見ながら、ＣＴ装置用コンソール２２の操作により患者ＰＳの撮影範囲（スライス位置）が指定される（ステップＳ４）。そうすると、ＣＴ装置２０による撮影が開始され、指定された撮影範囲に応じたＣＴ装置２０によるＣＴスキャンが実行され、指定された撮影範囲の投影データが収集される（ステップＳ５）。この収集された投影データを元に、ＣＴ装置用コンソール２２側での画像処理部（図示しない）による再構成処理の実行により、スキャン計画画像上で指定された撮影範囲（スライス位置）のＣＴ像（断面像）が再構成される（ステップＳ６）。この再構成されたＣＴ像は、ＣＴ装置用コンソール２２のモニタ２３上に表示される（図３参照）。
【００３３】
次いで、核医学装置用寝台１１が上記のＣＴ装置２０側から核医学装置１０側に移動させ、その寝台位置Ｐ１にセットする（ステップＳ７）。そうすると、図３に示すように核医学装置用コンソール１２のモニタ１３上の所定位置（図３中の例では画面右側上部）に上記のＣＴ装置２０で撮影したＣＴスキャノ像を用いたスキャン計画画像が自動的又は半自動的に表示される（ステップＳ８）。
【００３４】
このスキャン計画画像を見ながら、核医学装置用コンソール１２の操作により核医学装置１０によるＳＰＥＣＴ像の収集・撮影位置が必要に応じて修正される。そして、そのスキャン計画画像を用いて指定された撮影位置において、核医学装置１０による撮影が開始され、ＳＰＥＣＴ像（核医学画像）が収集される（ステップＳ９）。
【００３５】
このＳＰＥＣＴ像の収集後、核医学装置用コンソール１２のモニタ１３上のスキャン計画画像上で任意の位置が指定されると、その位置に対応するＣＴ像がＣＴ装置用コンソール２２から呼び出される一方、同じ位置のＳＰＥＣＴ像が核医学装置用コンソール１２から呼び出され、図３に示すように、モニタ１３上の所定位置（見やすい位置）に２枚の画像（ＣＴ像及びＳＰＥＣＴ像）が同時に例えば同一スケールで並べた状態で表示される。このとき、さらに核医学装置用コンソール１２側で所定の画像重ね合わせ機能を指定すれば、その場で２枚の画像（ＣＴ像及びＳＰＥＣＴ像）を互いに重ね合わせた重畳画像も表示可能となっている（ステップＳ１０）。
【００３６】
上記とは別に、核医学装置１０とＣＴ装置２０を各々独立して別の患者を検査したい場合、放射線防護隔壁３０を閉じた状態にし、検査室Ｒ１内の両装置１０、２０間を仕切る。このように放射線防護隔壁３０により両装置１０及び２０間を仕切った場合、ＣＴ装置２０による検査は、ＣＴ装置用寝台２１が、また核医学装置１０による検査は、核医学装置用寝台１１が、それぞれ使用される。この場合の各検査は、従来と同様の検査方法を用いて行われる。
【００３７】
従って、本実施形態によれば、核医学装置１０とＣＴ装置２０の間に放射線防護隔壁３０を開閉自在に設け、両方の検査が必要なときに放射線防護隔壁３０を開けた状態にし、また各々の検査を独立して同時に行なうときに放射線防護隔壁３０を閉じた状態にしたため、核医学装置１０とＣＴ装置２０の一方で発生する放射線がその他方側に漏れることがなくなり、より安全に検査が実施できる。
【００３８】
また、本実施形態によれば、ＣＴ装置２０で撮影されるＣＴスキャノ像を用いて核医学装置１０での撮影位置を決めることが可能になり、ＣＴスキャノ像上で撮影範囲を決める際と同様の感覚で、核医学装置の撮影範囲を指定することが可能になり、より精度の高い撮影位置決めが行えるようになる。しかも、得ようとする断面の位置をスキャノ像を用いて指定すれば、その位置に合ったＣＴ画像と核医学の画像を正確に表示することが可能となるため、核医学装置１０及びＣＴ装置２０の個別の画像表示に加え、両装置１０、２０による同一位置での画像の重ね合わせも正確に行えるようになる。
【００３９】
なお、本実施形態では、共通の寝台として核医学装置用寝台を、また追加の寝台としてＣＴ装置用寝台をそれぞれ用いているが、これとは逆に、共通の寝台としてＣＴ装置用寝台、また追加の寝台として核医学装置用寝台をそれぞれ用いることもできる。
【００４０】
また、本実施形態では、核医学装置用コンソール１２とＣＴ装置用コンソール２２とを分けて操作を行なっているが、その変形例として、核医学装置用コンソールの機能とＣＴ装置用コンソールの機能とを１つに統合した統合型コンソールを用いてもよい。
【００４１】
次に、その他の実施形態として、核医学装置１０の検査とＣＴ装置２０の検査とを別々の日、或は時間を置いて撮影する場合を図４に基づいて説明する。ここでは、その日の検査状況でＣＴ撮影のすぐ後に核医学装置１０の撮影が行なえない場合を考える。
【００４２】
この場合には、まず、ＣＴ装置２０による撮影にて核医学装置用寝台１１上に載せられた患者ＰＳのＣＴ画像が収集される。このとき、患者ＰＳに対し、前述と同様のＣＴスキャノ像が撮影され、そのＣＴスキャノ像を用いたスキャン計画画像を元に、得ようとする断面の位置が計画される。その結果、計画に応じた撮影範囲でＣＴスキャンが実行され、その投影データが収集され、ＣＴ像（断面像）が再構成され、モニタ２３上に表示される。
【００４３】
このＣＴ撮影が終わったら、核医学装置用寝台１１から患者ＰＳを降ろす前に、ＣＴ装置２０の診断用開口部の内壁側に内蔵された３つのレーザマーカ２４…２４からそのレーザ光を核医学装置用寝台１１上の患者ＰＳの体表上に投影し、そのレーザ光投影位置を基準位置として、３点のマーキングが施される。このマーキングは、例えば患者体表上のレーザ光投影位置に皮膚ペン等の医療用マーカペンで印を付ける等により行なわれる。この後、患者ＰＳを降ろして、一旦待機してもらう。
【００４４】
その後、核医学装置１０が空いたら、再び同じ患者ＰＳを核医学装置１０側に入れてその部屋の所定位置（壁面、スタンド等）及び核医学装置１０内に設けた３つのレーザマーカ１４…１４からのレーザ光投影位置に先程の患者体表上のマーキング位置を合わせる。このとき、ＣＴ装置２０側でスキャノ像を撮影した時に設定された基準位置は、核医学装置用寝台１１の天板位置として記憶されるため、ＣＴスキャノ像の撮影位置に対する患者ＰＳの体表上のマーキング位置は、複合システム側で把握されている。
【００４５】
従って、この基準位置の値を元に核医学装置１０側でレーザマーカ１４…１４からのレーザ光投影位置に患者体表上のマーキング位置を合わせれば、別の日に撮影したＣＴスキャノ像を用いても、前述と同様に核医学装置１０の撮影位置を決めることができる。このため、ＣＴ装置２０によるＣＴ撮影直後に核医学装置１０が使えないような場合でも、患者ＰＳを寝台１１上から一旦解放することができ、これにより、患者ＰＳの負担軽減と両装置１０、２０の効率運用が行なえるようになる。
【００４６】
すなわち、本例によれば、ＣＴ装置２０での撮影終了時点で、ＣＴ装置２０に内蔵されたレーザマーカ２４を用いて患者体表上にマーキングを施しておくだけで、その日に直ちに核医学装置１０での撮影を行わなくても、後日、別の日に核医学診断装置１０側に設けたレーザマーカ１４からのレーザ光投影位置に患者体表上のマーキング位置を合わせるだけで、先日撮影したＣＴ画像を使って核医学装置１０での位置合わせを行える。このため、前述した実施形態と同様の効果に加え、患者ＰＳを長時間、両装置１０、２０にわざわざ拘束（固定）しなくても済み、患者ＰＳの負担を軽減することができ、また両装置１０、２０を効率的に運用できる。
【００４７】
なお、本発明は、代表的に例示した上述の実施形態に限定されるものではなく、当業者であれば、特許請求の範囲の記載内容に基づき、その要旨を逸脱しない範囲内で種々の態様に変形、変更することができる。これらの変更、変形例も本発明の権利範囲に属するものである。
【００４８】
【発明の効果】
以上説明したように、本発明によれば、放射線防護用の隔壁部を設けたため、同一の部屋に配置されたＣＴ装置と核医学装置を各々独立に使え、一方の検査を実施中に同時に他方の検査を行ない得る複合システムを提供できる。また、両装置の画像収集位置を容易に位置決めでき、同一の寝台位置を元に同一断面のＣＴ像及び核医学画像を表示できる。さらに、患者を一旦寝台から降ろしても容易に位置決めできる。
【図面の簡単な説明】
【図１】本発明の実施の形態に係るＣＴ装置と核医学装置を各々独立に使える複合システムの全体構成及びその配置を示す概要図。
【図２】複合システムの全体動作の流れを説明する概略フローチャート。
【図３】ＣＴスキャノ像を用いた画像収集及びその表示例を示す概要図。
【図４】レーザマーカを用いた基準位置マーキングを説明する概要図。
【図５】従来例のＭＲＩ装置及び核医学装置を用いた医用画像診断システムの全体構成を示す概略ブロック図。
【符号の説明】
１０　核医学装置
１１　核医学装置用寝台（共通寝台）
１２　核医学装置用コンソール
１３　モニタ（核医学装置用）
１４　レーザマーカ（核医学装置用）
２０　ＣＴ装置
２１　ＣＴ装置用寝台（追加寝台）
２２　ＣＴ装置用コンソール
２３　モニタ（ＣＴ装置用）
２４　レーザマーカ（ＣＴ装置用）
【図１】
2004049819.tif 000003
【図２】
2004049819.tif 000004
【図３】
2004049819.tif 000005
【図４】
2004049819.tif 000006
【図５】
2004049819.tif 000007